(57)【要約】【課題】簡単な構造で使用者の誤操作を防止する転写装置、それを用いた画像形成装置及び転写装置規制方法を提供する。【解決手段】像担持体と当接し、像担持体上の像を転写するテンション状態と、像担持体と離間するテンション解除状態とで移動可能な転写回転体と、前記転写回転体をテンション状態とテンション解除状態に移動させるテンションレバーと、前記転写回転体を前記テンション解除状態とする位置でテンションレバーの移動を規制する規制手段とを備えた転写装置であることを特徴とする。【選択図】    図２
2008145743.tif 000002
【特許請求の範囲】
【請求項１】
像担持体と当接し、像担持体上の像を転写するテンション状態と、像担持体と離間するテンション解除状態とで移動可能な転写回転体と、前記転写回転体をテンション状態とテンション解除状態に移動させるテンションレバーと、前記転写回転体を前記テンション解除状態とする位置でテンションレバーの移動を規制する規制手段とを備えたことを特徴とする転写装置。
【請求項２】
開閉可能な開閉手段をさらに備え、前記規制手段は、前記開閉手段に設けたことを特徴とする請求項１に記載の転写装置。
【請求項３】
前記転写回転体が像担持体に当接すると共に、前記開閉手段を閉状態とする画像形成時の第１状態と、前記転写回転体が像担持体から離間すると共に、前記開閉手段を開状態とする像担持体着脱時の第２状態と、前記転写回転体が像担持体から離間すると共に、開閉手段を閉状態とする装置輸送時の第３状態と、に移動し、前記規制手段は、前記第３状態に対応する位置に前記テンションレバーを規制することを特徴とする請求項２に記載の転写装置。
【請求項４】
前記規制手段は、前記開閉手段に設けたリブであることを特徴とする請求項２又は請求項３に記載の転写装置。
【請求項５】
前記リブは、前記第１状態と前記第３状態に対応する位置に前記テンションレバーを規制し、前記第２状態では、前記テンションレバーと前記リブとが干渉し、前記開閉手段を閉鎖できないようにすることを特徴とする請求項４に記載の転写装置。
【請求項６】
前記規制手段は、移動可能なスライダと、前記スライダを摺動可能に支持すると共に、前記スライダを前記テンションレバーと干渉しない位置で停止させることが可能なスライダホルダと、前記スライダを前記スライダホルダに対し付勢するバネと、を有するスライダ装置からなることを特徴とする請求項２又は請求項３に記載の転写装置。
【請求項７】
前記スライダ装置は、前記第１状態と前記第３状態に対応する位置に前記テンションレバーを規制し、前記第２状態では、前記テンションレバーと前記スライダとが干渉し、前記開閉手段を閉鎖できないようにすることを特徴とする請求項６に記載の転写装置。
【請求項８】
像担持体と、前記像担持体上の潜像を現像する現像剤担持体と、前記現像剤担持体により現像された前記像担持体上の画像を転写材に転写する前記転写装置と、転写材上の画像を定着する前記定着装置とを備えたことを特徴とする請求項１乃至請求項７のいずれかに記載の転写装置を用いた画像形成装置。
【請求項９】
前記開閉手段は、前記画像形成装置のカバーであることを特徴とする請求項８に記載の画像形成装置。
【請求項１０】
転写装置輸送時に、転写回転体を像担持体から離間させると共に開閉可能な開閉手段を閉状態とし、その後、テンションレバーを回動させて前記開閉手段を開放し、再び転写回転体が像担持体から離間した状態で前記テンションレバーを回動させて前記開閉手段を閉鎖しようとすると、前記テンションレバーと規制手段とが干渉し、前記開閉手段が閉鎖できないことを特徴とする転写装置規制方法。
【発明の詳細な説明】
【技術分野】
【０００１】
本発明は、像担持体に形成された像を転写する転写装置、それを用いた画像形成装置及び転写装置規制方法に関するものである。
【背景技術】
【０００２】
一般に、電子写真方式のトナー像形成手段は、外周面に感光層を有する像担持体としての感光体と、この感光体の外周面を一様に帯電させる帯電手段と、この帯電手段により一様に帯電させられた外周面を選択的に露光して静電潜像を形成する露光手段と、この露光手段により形成された静電潜像に現像剤であるトナーを付与して可視像（トナー像）とする現像手段とを有している。
【０００３】
カラー画像を形成するロータリ方式の画像形成装置としては、上記のようなトナー像形成手段を、中間転写ベルトに対して配置する。これらトナー像形成手段による感光体上のトナー像を順次中間転写ベルトに転写して、中間転写ベルト上で複数色（例えば、イエロー、シアン、マゼンタ、ブラック（黒））のトナー像を重ね合わせ、中間転写ベルト上でカラー画像を得る中間転写ベルト形式のものがある。
【０００４】
このような画像形成装置において、従来、像を転写材に転写する転写装置を備え、転写装置が、サポートローラレバーを回転させることで、画像形成時の第１の位置と、像担持体着脱時の第２の位置と、輸送時の第３の位置とに移動可能なものがあった（特許文献１）。
【特許文献１】特開２００４−３６１６０８号公報
【発明の開示】
【発明が解決しようとする課題】
【０００５】
しかしながら、特許文献１に記載された発明によると、転写装置とカバーとの関係については記載されておらず、特に、転写装置が、像担持体着脱時の第２の位置及び装置輸送時の第３の位置の場合にも、カバーが閉止可能となってしまうと、使用者は転写装置が第１の位置乃至第３の位置のどの状態にあるのかわからない状況となる場合があった。
【０００６】
本発明は、従来技術のこのような問題点に鑑みてなされたものであり、その目的は、簡単な構造で使用者の誤操作を防止する転写装置、それを用いた画像形成装置及び転写装置規制方法を提供することにある。
【課題を解決するための手段】
【０００７】
上記目的を達成する本発明の転写装置は、像担持体と当接し、像担持体上の像を転写するテンション状態と、像担持体と離間するテンション解除状態とで移動可能な転写回転体と、前記転写回転体をテンション状態とテンション解除状態に移動させるテンションレバーと、前記転写回転体を前記テンション解除状態とする位置でテンションレバーの移動を規制する規制手段とを備えたことを特徴とするので、使用者が誤操作することがなくなると共に、テンションレバーが強い負荷や衝撃等により回動してしまうことがなく、輸送時に像担持体等を傷つけることがない。
【０００８】
また、開閉可能な開閉手段をさらに備え、前記規制手段は、前記開閉手段に設けたことを特徴とするので、開閉手段に連動してテンションレバーを規制することができ、使用者の誤操作がさらになくなる。
【０００９】
また、前記転写回転体が像担持体に当接すると共に、前記開閉手段を閉状態とする画像形成時の第１状態と、前記転写回転体が像担持体から離間すると共に、前記開閉手段を開状態とする像担持体着脱時の第２状態と、前記転写回転体が像担持体から離間すると共に、開閉手段を閉状態とする装置輸送時の第３状態と、に移動し、前記規制手段は、前記第３状態に対応する位置に前記テンションレバーを規制することを特徴とするので、開閉手段に連動してテンションレバーを規制することができ、使用者が誤操作することがなくなると共に、テンションレバーが強い負荷や衝撃等により回動してしまうことがなく、輸送時に像担持体等を傷つけることがない。
【００１０】
また、前記規制手段は、前記開閉手段に設けたリブであることを特徴とするので、簡単な構造で課題を解決することができる。
【００１１】
また、前記リブは、前記第１状態と前記第３状態に対応する位置に前記テンションレバーを規制し、前記第２状態では、前記テンションレバーと前記リブとが干渉し、前記開閉手段を閉鎖できないようにすることを特徴とするので、簡単な構造で開閉手段に連動してテンションレバーを規制することができ、使用者が誤操作することがなくなると共に、テンションレバーが強い負荷や衝撃等により回動してしまうことがなく、輸送時に像担持体等を傷つけることがない。
【００１２】
また、前記規制手段は、移動可能なスライダと、前記スライダを摺動可能に支持すると共に、前記スライダを前記テンションレバーと干渉しない位置で停止させることが可能なスライダホルダと、前記スライダを前記スライダホルダに対し付勢するバネと、を有するスライダ装置からなることを特徴とするので、開閉手段に連動してテンションレバーを規制することができ、使用者が誤操作することがなくなると共に、テンションレバーが強い負荷や衝撃等により回動してしまうことがなく、輸送時に像担持体等を傷つけることがない。
【００１３】
また、前記スライダ装置は、前記第１状態と前記第３状態に対応する位置に前記テンションレバーを規制し、前記第２状態では、前記テンションレバーと前記スライダとが干渉し、前記開閉手段を閉鎖できないようにするので、開閉手段に連動してテンションレバーを規制することができ、使用者が誤操作することがなくなると共に、テンションレバーが強い負荷や衝撃等により回動してしまうことがなく、輸送時に像担持体等を傷つけることがない。
【００１４】
さらに、像担持体と、前記像担持体上の潜像を現像する現像剤担持体と、前記現像剤担持体により現像された前記像担持体上の画像を転写材に転写する前記転写装置と、転写材上の画像を定着する前記定着装置とを備えたことを特徴とするので、転写装置だけでなく画像形成装置全体として課題を解決することができる。
【００１５】
また、前記開閉手段は、前記画像形成装置のカバーであるので、カバーの開閉に連動してテンションレバーを規制することができ、使用者が誤操作することがなくなると共に、テンションレバーが強い負荷や衝撃等により回動してしまうことがなく、輸送時に像担持体等を傷つけることがない。
【発明を実施するための最良の形態】
【００１６】
以下、本発明の実施の形態を、図面を参照しつつ説明する。
【００１７】
図１は、本発明が適用される画像形成装置の縦断側面図である。図１において、画像形成装置１６０には主要構成部材として、ロータリ構成の現像装置１６１、像担持体として機能する感光体ドラム１６５、有機ＥＬアレイ等の発光素子を用いるラインヘッドや光源にレーザ光を用いた走査光学系等が設けられている像書込手段（露光手段）、像担持体上の像を転写材に転写する転写装置Ｔ、中間転写体としての転写ベルト１２、用紙搬送路１７４、定着装置の加熱ローラ１７２、給紙トレイ１７８等が設けられている。
【００１８】
現像装置１６１は、現像ロータリ１６１ａが軸１６１ｂを中心として矢視Ａ方向に回転する。現像ロータリ１６１ａの内部は４分割されており、それぞれイエロー（Ｙ）、シアン（Ｃ）、マゼンタ（Ｍ）、ブラック（Ｋ）の４色の像形成ユニットが設けられている。１６２ａ〜１６２ｄは、前記４色の各像形成ユニットに配置されており、矢視Ｂ方向に回転するトナー担持体としての現像ローラ、１６３ａ〜１６３ｄは、矢視Ｃ方向に回転するトナー供給ローラである。また、１６４ａ〜１６４ｄはトナーを所定の厚さに規制する規制ブレードである。
【００１９】
感光体ドラム１６５は、図示を省略した駆動モータ、例えばステップモータにより現像ローラ１６２ａとは逆方向の矢視Ｄ方向に駆動される。転写装置Ｔの転写装置本体Ｔ１は、転写ベルト１２、駆動ローラ１０及び従動ローラ１１等を有し、転写ベルト１２は、従動ローラ１１と駆動ローラ１０間に張架されており、駆動ローラ１０が前記感光体ドラム１６５の駆動モータに連結されて、転写ベルト１２に動力を伝達している。当該駆動モータの駆動により、転写ベルト１２の駆動ローラ１０は感光体ドラム１６５とは逆方向の矢視Ｅ方向に回動される。
【００２０】
このような構造の画像形成装置１６０現像装置１６１から転写ベルト１２までの動作について説明する。まず、トナー供給ローラ１６３から現像ローラ１６２にトナーを供給する。この時、規制ブレード１６４によりトナー量を調整する。現像ローラ１６２は、帯電器１６８により帯電され、ラインヘッド１６７等により形成された感光体ドラム１６５上の潜像を現像する。感光体ドラム１６５上の画像は、転写ベルト１２に転写される。
【００２１】
用紙搬送路１７４には、複数の搬送ローラと排紙ローラ対１７６などが設けられており、用紙を搬送する。転写ベルト１２に担持されている片面の画像（トナー像）は、転写装置Ｔの二次転写部Ｔ２において、二次転写ローラ１７１の位置で用紙の片面に転写される。二次転写ローラ１７１は、クラッチにより転写ベルト１２に離当接され、クラッチオンで転写ベルト１２に当接されて用紙に画像が転写される。
【００２２】
上記のようにして画像が転写された用紙は、次に、前述した定着ヒータＨを有する定着装置で定着処理がなされる。定着装置には、加熱ローラ１７２、逆クラウン形状の加圧ローラ１７３が設けられている。定着処理後の用紙は、排紙ローラ対１７６に引き込まれて矢視Ｆ方向に進行する。この状態から排紙ローラ対１７６が逆方向に回転すると、用紙は方向を反転して両面プリント用搬送路（両面搬送路）１７５を矢視Ｇ方向に進行する。１８３は第１の両面ローラ、１８４は第２の両面ローラである。１７７は電装品ボックス、１７８は用紙を収納する給紙トレイ、１７９は給紙トレイ１７８の出口に設けられているピックアップローラである。ハウジングケース１９０には、排気ファン１９１が設けられている。ハウジングケース１９０の用紙搬送路１７４側には、ジャム時に用紙を引き出すための開閉扉１９０ａが設けられている。
【００２３】
また、ピックアップローラ１７９の用紙搬送方向からみて下流側の片面用紙搬送路１７４には、フィードローラ１８１が設けられている。また、二次転写ローラ１７１の上流側にはゲートローラ１８０が配置されている。
【００２４】
図２乃至図６は、本実施形態の転写装置Ｔを示す。図２は本実施形態の転写装置Ｔの斜視図である。図２において、転写装置Ｔは、左右一対の転写フレーム２３、２３を有し、左右の転写フレーム２３、２３間には、駆動ローラ１０、従動ローラ１１、転写回転体の一例としての第１サポートローラ１３、転写回転体の一例としての第２サポートローラ１４、テンションローラ２４およびカム軸２５が回転自在に装着されている。テンションローラ２４の両端にはスプリング２４ａが配設され中間転写ベルト１２を張り方向に付勢している。カム軸２５の両側にはカム部材２６が固定され、カム軸２５の一方の転写フレーム２３外側にはテンションレバー２７が固定されている。なお、２８は転写装置Ｔを運搬するための把手である。
【００２５】
転写フレーム２３の左右内側側面には、サポートローラレバー３０が支点軸３１により回転自在に配設されている。サポートローラレバー３０の一端には第１サポートローラ１３、支点軸３１と第１サポートローラ１３との間には第２サポートローラ１４が回転自在に装着され、他端には第１サポートローラ１３及び第２サポートローラ１４を中間転写ベルト１２側に付勢するスプリング３２が設けられている。この構成により、サポートローラレバー３０の第１サポートローラ１３及び第２サポートローラ１４を矢印Ｙ１方向に付勢させ、像担持体３に対して第１サポートローラ１３及び第２サポートローラ１４の間に位置する転写ベルト１２で転写圧を付与するようにしている。
【００２６】
また、図３及び図４に示すように、カム部材２６の外周面には突起状のカム部２６ａが形成されている。カム部２６ａのカム軸２５寄りには、カム部材２６に枢支されたカム回転部材２６ｂを有する。カム回転部材２６ｂは、転写フレーム２３の側面に形成された第１係止片２３ａ及び第２係止片２３ｂに係止可能となっている。
【００２７】
さらに、サポートローラレバー３０の上面には、各サポートローラ１３，１４の逆側に向けて突起状の係止部３０ａ、この係止部３０ａの支点軸３１側にある第１カム係合部３０ｂ、係止部３０ａを挟んで第１カム係合部３０ｂの逆側にあるフランジ状の第２カム係合部３０ｃが形成されている。
【００２８】
次に、本実施形態の転写装置Ｔの作動について説明する。図３は画像形成時である第１位置の転写装置Ｔの側面図、図４は画像形成時である第１位置のカム部材付近の拡大図である。第１位置の転写装置Ｔでは、テンションレバー２７の時計回りの回動によりカム部材２６のカム部２６ａがサポートレバー３０の係止部３０ａを越えてカム係合部３０ｂに係合している。この場合、サポートレバー３０の第１サポートローラ１３及び第２サポートローラ１４は、スプリング３２の付勢力により転写ベルト１２を押圧する方向Ｙ１に作用し、転写装置Ｔはテンション状態となっている。この時、カム部材２６のカム回転部材２６ｂは転写フレーム２３の側面に形成された第１係止片２３ａに係止されている。
【００２９】
図５は像担持体着脱時である第２位置の転写装置Ｔの側面図、図６は像担持体着脱時である第２位置のカム部材付近の拡大図である。第２位置の転写装置Ｔでは、テンションレバー２７の反時計回りの回動によりカム部材２６のカム部２６ａがサポートレバー３０の係止部３０ａを第１位置とは逆の方向に越えて、カム収納空間３０ｃに位置している。この場合、サポートレバー３０の第１サポートローラ１３及び第２サポートローラ１４は、スプリング３２の付勢力を解放され転写ベルト１２を押圧せず、転写装置Ｔはテンション解除状態となっている。この時、カム部材２６のカム回転部材２６ｂは転写フレーム２３の側面に形成された第２係止片２３ｂに係止されている。
【００３０】
次に、本発明にかかる規制手段について説明する。図７乃至図９は、本発明にかかる規制手段の第１実施形態を示す。図７はカバー開時の状態、図８はカバー閉時の状態、図９は第１乃至第３状態の規制手段部分を示す。図中、１９０ｂは側面部、１９０ｃはレバー取付孔、１９０ｄは凹部、１９０ｅは開閉手段の一例としてのカバー、４０は規制手段の一例としてのレバー回転規制リブである。
【００３１】
図７及び図８に示すように、ハウジングケース１９０の側面部１９０ｂには、テンションレバー２７を取り付けるためカム軸２５が貫通するレバー取付孔１９０ｃ、レバー回転規制リブ４０が収納される凹部１９０ｄ及びレバー取付孔１９０ｃと凹部１９０ｄとを覆うカバー１９０ｅが設けられている。
【００３２】
レバー回転規制リブ４０は、カバー１９０ｅの内側に備えられ、画像形成時である第１状態のテンションレバー２７を嵌装する第１状態対応部４０ａ及び装置輸送時の第３状態のテンションレバー２７を嵌装する第３状態対応部４０ｂを有する。
【００３３】
次に、図９に示すような画像形成時である第１状態、像担持体着脱時の第２状態、及び、装置輸送時の第３状態のそれぞれの状態でのテンションレバー２７とレバー回転規制リブ４０との関係について説明する。
【００３４】
図９（ａ）は、テンションレバー２７が画像形成時である第１状態にある場合を示す。テンションレバー２７が画像形成時である第１状態にある場合、カバー１９０ｅを閉じると、テンションレバー２７は、カバー１９０ｅの内側に形成されたレバー回転規制リブ４０の第１状態対応部４０ａ内に嵌装され、動きを規制される。この状態では、転写装置Ｔはテンション状態にある。
【００３５】
図９（ｂ）は、テンションレバー２７が像担持体着脱時である第２状態にある場合を示す。テンションレバー２７を第１状態から反時計方向に回転させると、第２状態となり、テンションレバー２７が像担持体着脱時である第２状態にある場合、カバー１９０ｅを閉じようとすると、テンションレバー２７は、カバー１９０ｅの内側に形成されたレバー回転規制リブ４０に干渉し、カバー１９０ｅは閉じることができない。この状態では、転写装置Ｔはテンション解除状態にある。
【００３６】
図９（ｃ）は、テンションレバー２７が装置輸送時である第３状態にある場合を示す。テンションレバー２７は治具等により第３状態に位置され、テンションレバー２７が装置輸送時である第３状態にある場合、カバー１９０ｅを閉じると、テンションレバー２７は、カバー１９０ｅの内側に形成されたレバー回転規制リブ４０の第３位置対応部４０ｂ内に嵌装され、動きを規制される。この状態では、転写装置Ｔはテンション解除状態にある。
【００３７】
したがって、本実施形態による転写装置規制方法によると、転写装置輸送時に、第１及び第２サポートローラ１３，１４を感光体ドラム１６５から離間させると共に開閉可能なカバー１９０ｅを閉状態とし、その後、テンションレバー２７を回動させてカバー１９０ｅを開放し、再び第１及び第２サポートローラ１３，１４が感光体ドラム１６５から離間した状態でテンションレバー２７を回動させてカバー１９０ｅを閉鎖しようとすると、テンションレバー２７とレバー回転規制リブ４０とが干渉し、カバー１９０ｅが閉鎖できない。
【００３８】
このように、簡単な構造でカバー１９０ｅに連動してテンションレバー２７を規制することができ、使用者が誤操作することがなくなると共に、テンションレバー２７が強い負荷や衝撃等により回動してしまうことがなく、輸送時に像担持体１６５等を傷つけることがない。
【００３９】
次に、本発明にかかる規制手段の第２実施形態について説明する。図１０乃至図１４は、本発明にかかる規制手段の第２実施形態を示す。図１０はカバー開時の状態を示す図であり、図１１はカバー閉時の状態を示す図であり、図１２は、図１１の丸で囲んだ部分をカバー外側から投影した第１乃至第３状態の規制手段５０の作動図を示す。図１２（ａ）は画像形成時である第１状態、図１２（ｂ）は像担持体着脱時の第２状態、図１２（ｃ）は装置輸送時の第３状態をそれぞれ示す。図１３及び図１４は、規制手段５０を装置輸送時である第３状態にする作動方法を示す図であり、図１３（ａ）はカバー内側から見たフリー状態の規制手段５０、図１３（ｂ）はカバー内側から見たチャージ状態の規制手段５０，図１４（ａ）はカバー外側から投影したチャージ状態の規制手段５０、図１４（ｂ）はカバー外側から投影したチャージ状態の装置輸送時である第３状態の規制手段５０である。図中、１９０ｂは側面部、１９０ｃはレバー取付孔、１９０ｅは開閉手段の一例としてのカバー、５０は規制手段の一例としてのスライダ装置、５１はスライダ、５２はスライダホルダ、５３はバネ、６０は突起である。
【００４０】
図１０乃至図１４に示すように、ハウジングケース１９０の側面部１９０ｂには、テンションレバー２７を取り付けるためカム軸２５が貫通するレバー取付孔１９０ｃ、レバー取付孔１９０ｃを覆うカバー１９０ｅ及び突起６０が設けられている。
【００４１】
スライダ装置５０は、カバー１９０ｅの内側に備えられ、スライダ５１、スライダホルダ５２、及びバネ５３を有する。スライダ５１は、一端にスライダを押し下げする頭部５１ａ、頭部５１ａから他端側に延伸する本体部５１ｂ、本体部５１ｂの端部である後端部５１ｃ、後端部５１ｃ近傍外側から一端側へ延伸する板バネ等の付勢部５１ｄを有し、付勢部５１ｄは、スライダホルダ５２の凸部５２ｂに掛止する掛止部５１ｅを有する。スライダホルダ５２は、カバー１９０ｅの内側に設置され、スライダ５１をバネ５３で付勢した状態で保持するものであり、スライダ５１をスライドさせる本体部５２ａ、スライダ５１の付勢部５１ｄに形成された掛止部５１ｅが掛止する山形状の凸部５２ｂを有する。
【００４２】
次に、図１２に示すスライダ装置５０の作動について説明する。図１２は、画像形成時である第１状態、像担持体着脱時の第２状態及び装置輸送時の第３状態のそれぞれの状態でのスライダ装置５０の状態を示す。図１２（ａ）は画像形成時である第１状態、図１２（ｂ）は像担持体着脱時の第２状態、図１２（ｃ）は装置輸送時の第３状態である。
【００４３】
図１２（ａ）は、画像形成時である第１状態でのスライダ装置５０を示す。この状態では、テンションレバー２７は、スライダ５１との干渉もなく、カバー１９０ｅを閉鎖することができる。また、図３及び図４で示したように、サポートローラレバー３０は、第１実施形態で示した画像形成時である第１位置と同様の位置にあり、第１サポートローラ１３及び第２サポートローラ１４を矢印Ｙ１方向に付勢させ、像担持体３に対して転写ベルト１２で転写圧を付与しており、転写装置Ｔはテンション状態にある。
【００４４】
図１２（ｂ）は、像担持体着脱時である第２状態を示す。この状態では、テンションレバー２７は、画像形成時である第１状態から反時計方向に回動され、スライダ５１と干渉し、カバー１９０ｅを閉鎖することができない。また、図５及び図６で示したように、サポートレバー３０の第１サポートローラ１３及び第２サポートローラ１４は、スプリング３２の付勢力を解放され転写ベルト１２を押圧しておらず、転写装置Ｔはテンション解除状態にある。
【００４５】
図１２（ｃ）は、装置輸送時である第３状態を示す。この状態では、スライダ装置５０のスライダ５１がテンションレバー２７との干渉を避ける位置に待避しており、カバー１９０ｅを閉鎖することができる。しかし、テンションレバー２７は、図５及び図６で示したように、像担持体着脱時である第２位置と同じ位置に配置され、サポートレバー３０の第１サポートローラ１３及び第２サポートローラ１４は、スプリング３２の付勢力を解放され転写ベルト１２を押圧しておらず、転写装置Ｔはテンション解除状態にある。
【００４６】
図１３及び図１４は、スライダ装置５０を図１２（ｃ）で示した装置輸送時である第３状態にする作動方法を示す。図１３は、カバー１９０ｅの内側から見た図である。まず、カバーを開き、スライダ５１を図１３（ａ）に示すように、スライダホルダ５２に対して動くことが可能なフリー状態にする。この図１３（ａ）に示すフリー状態から、スライダ５１の頭部５１ａをバネ５３の付勢力に抗してスライダホルダ５２の凸部５２ｂにスライダ５１の付勢部５１ｄに形成された掛止部５１ｅが掛止する図１３（ｂ）に示すようなチャージ状態になるまで押圧する。
【００４７】
図１４は、カバー１９０ｅの外側から投影した図である。図１４（ａ）は、図１３（ｂ）のチャージ状態のスライダ装置５０をカバー１９０ｅの外側から投影した図である。このチャージ状態では、スライダ５１とテンションレバー２７とは干渉せず、カバー１９０ｅを閉じることができる。図１４（ｂ）は、カバー１９０ｅを閉じた時の状態のスライダ装置５０をカバー１９０ｅの外側から投影した図である。カバー１９０ｅを閉じると、スライダ５１の後端部５１ｃが突起６０に当接し、突起先端６０ａの斜面に沿ってスライダ５１が押される。それによって、付勢部５１ｄに形成された掛止部５１ｅがスライダホルダ５２の凸部５２ｂから外れ、スライダ５１はテンションレバー２７方向へ頭部５１ａがテンションレバー２７に当接するまで移動し、図１２（ｃ）の装置輸送時である第３状態となる。
【００４８】
この装置輸送時である第３状態からカバー１９０ｅを開けると、スライダ５１はカバー１９０ｅと共に移動し、頭部５１ａがテンションレバー２７から離れ、バネ５３の付勢力により移動する。したがって、スライダ装置５０は、カバー１９０ｅの開動作のみにより、装置輸送時である第３状態から像担持体着脱時である第２状態に移行する。
【００４９】
したがって、その後再びカバー１９０ｅを閉鎖するには、テンションレバー２７を回動し、画像形成時である第１の状態にするか、スライダ装置５０を再びチャージ状態とし、装置輸送時である第３状態とする。特に、装置輸送時である第３状態とするには、スライダ装置５０を再びチャージ状態としなければならず、テンションレバー２７のみですることはできないので、使用者による誤操作が低減する。
【００５０】
したがって、本実施形態による転写装置規制方法によると、転写装置輸送時に、第１及び第２サポートローラ１３，１４を感光体ドラム１６５から離間させると共に開閉可能なカバー１９０ｅを閉状態とし、その後、テンションレバー２７を回動させてカバー１９０ｅを開放し、再び第１及び第２サポートローラ１３，１４が感光体ドラム１６５から離間した状態でテンションレバー２７を回動させてカバー１９０ｅを閉鎖しようとすると、テンションレバー２７とスライダ装置５０とが干渉し、カバー１９０ｅが閉鎖できない。
【００５１】
このように、簡単な構造でカバー１９０ｅに連動してテンションレバー２７を規制することができ、使用者が誤操作することがなくなると共に、テンションレバー２７が強い負荷や衝撃等により回動してしまうことがなく、輸送時に感光体ドラム１６５等を傷つけることがない。
【００５２】
なお、本実施形態では、画像形成装置１６０のカバー１９０ｅを開閉手段として適用したが、転写装置Ｔ自体にカバーを設けてもよい。
【００５３】
また、他の実施形態として、図１５に示すように、サポートレバー軸３１ａを設け、そのサポートレバー軸３１ａ上にテンションレバー２７を同軸に設けてもよい。
【図面の簡単な説明】
【００５４】
【図１】本実施形態の画像形成装置を示す縦断側面図である。
【図２】本実施形態の転写装置の斜視図である。
【図３】本実施形態の第１状態の転写装置の側面図である。
【図４】本実施形態の第１状態の転写装置のカム部周辺拡大斜視図である。
【図５】本実施形態の第２状態の転写装置の側面図である。
【図６】本実施形態の第２状態の転写装置のカム部周辺拡大斜視図である。
【図７】第１実施形態の規制手段を示す図である。
【図８】第１実施形態の規制手段を示す図である。
【図９】第１実施形態の規制手段の動作を示す図である。
【図１０】第２実施形態の規制手段を示す図である。
【図１１】第２実施形態の規制手段を示す図である。
【図１２】第２実施形態の規制手段の動作を示す図である。
【図１３】第２実施形態の規制手段の動作を示す図である。
【図１４】第２実施形態の規制手段の動作を示す図である。
【図１５】他の実施形態を示す図である。
【符号の説明】
【００５５】
Ｔ…転写装置、１０…駆動ローラ、１１…従動ローラ、１２…転写ベルト、１３…第１サポートローラ、１４…第２サポートローラ、２３…転写フレーム、２３ａ…第１係止片、２３ｂ…第２係止片、２４…テンションローラ、２５…カム軸、２６…カム部材、２６ａ…カム部、２６ｂ…カム回転部材、２７…テンションレバー、２８…把手、３０…サポートレバー、３０ａ…係止部、３０ｂ…第１カム係合部、３０ｃ…第２カム係合部、３１…支点軸、３１ａ…サポートレバー軸、３２…スプリング、４０…レバー回転規制リブ（規制手段）、５０…スライダ装置（規制手段）、５１…スライダ、５１ａ…頭部、５１ｂ…本体部、５１ｃ…後端部、５１ｄ…付勢部、５１ｅ…掛止部、５２…スライダホルダ、５２ａ…本体部、５２ｂ…凸部、５３…バネ、６０…突起、６０ａ…突起先端、１６０…画像形成装置、１６１…現像装置、１６２…現像ローラ（現像剤担持体）、１６５…感光体ドラム（像担持体）、１６７…像書込手段、１６８・・・帯電器、１７１…二次転写ローラ（二次転写部）、１７２…加熱ローラ、Ｈ…ヒータ、１７３…加圧ローラ、１９０ｂ…側面部、１９０ｃ…レバー取付孔、１９０ｄ…凹部、１９０ｅ…カバー
【図１】
2008145743.tif 000003
【図２】
2008145743.tif 000004
【図３】
2008145743.tif 000005
【図４】
2008145743.tif 000006
【図５】
2008145743.tif 000007
【図６】
2008145743.tif 000008
【図７】
2008145743.tif 000009
【図８】
2008145743.tif 000010
【図９】
2008145743.tif 000011
【図１０】
2008145743.tif 000012
【図１１】
2008145743.tif 000013
【図１２】
2008145743.tif 000014
【図１３】
2008145743.tif 000015
【図１４】
2008145743.tif 000016
【図１５】
2008145743.tif 000017